(57)【要約】【課題】縄やロープの縛着作業を必要とせずに、短時間で容易に冬囲いができ、特に、複数個の支柱体の上端部を集束保持可能な保持部を上記集束体に放射状に複数個設けてなるから、花木の大きさや囲い状況等に応じて支柱体の数を容易に可変することができ、一層容易に冬囲い作業を行うことができると共にコンパクトに収納保管することができ、使用の利便性を高めることができる。【解決手段】多角錐状に立設可能な複数個の支柱体１と、該複数個の支柱体の上端部を集束保持可能な保持部３をもつ集束体２とからなり、上記保持部を上記集束体に放射状に複数個設けてなる。【選択図】        図１
2004242630.tif 000002
【特許請求の範囲】
【請求項１】
多角錐状に立設可能な複数個の支柱体と、該複数個の支柱体の上端部を集束保持可能な保持部をもつ集束体とからなり、上記保持部を上記集束体に放射状に複数個設けてなることを特徴とする雪囲い。
【請求項２】
上記支柱体に上記保持部に保持可能な係合部をもつ継合体を着脱自在に嵌着してなることを特徴とする請求項１記載の雪囲い。
【請求項３】
上記支柱体は竹材であることを特徴とする請求項１又は２記載の雪囲い。
【請求項４】
上記継合体の上端部に係合部としての半円弧状の当接部を形成し、上記集束体の保持部に該当接部に当接可能な複数個の弧状凹部を形成してなることを特徴とする請求項１〜３のいずれか１項に記載の雪囲い。
【発明の詳細な説明】
【０００１】
【発明の属する技術分野】
本発明は庭木、草花、農作物等を雪から保護する際に用いられる雪囲いに関するものである。
【０００２】
【従来の技術】
【０００３】
【特許文献１】
特開２００２−１２５４８７号公報
【０００４】
従来、この種の雪囲いとして、多角錐状に立設可能な複数個の支柱体と、複数個の支柱体の上端部を集束保持可能な保持部をもつ集束体と、多角錐状に立設された複数個の支柱体間に係止架設可能して上下多段に配置される大小複数個の多角枠体と、上下多段に配置された多角枠体に係着可能な複数個の縦桟体とからなる構造のものが知られている。
【０００５】
【発明が解決しようとする課題】
しかしながらこの従来構造の場合、保護すべき花木によっては、雪囲い作業が厄介であって手間が掛かることがあり、又、取り外しも手間の掛かる厄介な作業となることがあるという不都合を有している。
【０００６】
【課題を解決するための手段】
本発明はこのような不都合を解決することを目的とし、本発明のうちで、請求項１記載の発明は、多角錐状に立設可能な複数個の支柱体と、該複数個の支柱体の上端部を集束保持可能な保持部をもつ集束体とからなり、上記保持部を上記集束体に放射状に複数個設けてなることを特徴とする雪囲いにある。
【０００７】
又、請求項２記載の発明にあっては、上記支柱体に上記保持部に保持可能な係合部をもつ継合体を着脱自在に嵌着してなることを特徴とするものであり、又、請求項３記載の発明は、上記支柱体は竹材であることを特徴とするものであり、又、請求項４記載の発明は、上記継合体の上端部に係合部としての半円弧状の当接部を形成し、上記集束体の保持部に該当接部に当接可能な複数個の弧状凹部を形成してなることを特徴とするものである。
【０００８】
【発明の実施の形態】
図１乃至図７は本発明の実施の形態例を示し、１は支柱体であって、木材、合成樹脂、金属等により製作され、この場合、竹材により製作されている。
【０００９】
２は集束体であって、合成樹脂、木材、金属等により製作され、この場合、円柱状にして底面に保持部３としての複数個のすり割り状の弧状凹部３ａを放射状に１２個形成している。
【００１０】
４は継合体であって、この場合、この継合体４の下部に上記支柱体１の上端部に着脱自在に嵌着可能な筒部４ａを形成すると共に上記集束体２の保持部３としての複数個のすり割り状の弧状凹部３ａに保持可能な係合部４ｂとしての半円弧状の当接部を形成し、筒部４ａに板バネ状の掛止爪４ｃを片持ち状態に溶接固着し、筒部４ａに挿入した支柱体１をリング４ｄを筒部４ａの外周面で摺動して掛止爪４ａを支柱体１の表面に圧接掛止し、これにより筒部４ａに支柱体１を継合すると共にリング４ｄをストッパー凸部４ｅまで後退摺動することにより、圧接掛止を解除して支柱体１を係合体４から取り外すように構成している。
【００１１】
この実施の形態例は上記構成であるから、図６の如く、雪から保護すべき花木Ｗの周りの地面Ｇに四個の支柱体１・１・１・１を四角錐状に立設すると共に四個の支柱体１・１・１・１の上端部を集束体２に放射状に形成された複数個の保持部３の内から四等配位置の保持部３に保持させて支柱体１・１・１・１を集束保持し、この四角錐状に立設された支柱体１・１・１・１により雪から花木Ｗを保護する雪囲い作業を行うことができ、このため、縄やロープの縛着作業を必要とせずに、短時間で容易に冬囲いができ、特に、複数個の支柱体１の上端部を集束保持可能な保持部３を上記集束体２に放射状に複数個設けてなるから、図７の如く、花木Ｗの大きさや囲い状況等に応じて支柱体１の数を容易に可変することができ、それだけ、一層容易に冬囲い作業を行うことができると共にコンパクトに収納保管することができ、使用の利便性を高めることができる。
【００１２】
又、この場合、上記支柱体１に上記保持部３に保持可能な係合部４ｂをもつ継合体４を着脱自在に嵌着してなるから、支柱体１と集束体２との継合構造が容易となって製作コストを低減することができると共に支柱体１の材質の融通性を高めることができ、又、この場合、上記支柱体１は竹材であるから入手が容易であって一層製作コストを低減することができ、又、この場合、上記継合体４の上端部に係合部４ｂとしての半円弧状の当接部を形成し、上記集束体２の保持部３に当接部に当接可能な複数個の弧状凹部３ａを形成してなるから、支柱体１と集束体２との継合構造を簡素化することができると共に当接部と弧状凹部３ａとの弧状当接により支持体１の立設角度を容易に調節することができる。
【００１３】
尚、本発明は上記実施の形態例に限らず、支柱体１及び集束体２、保持部３の個数や形態や構造、大きさ等は適宜変更して設計される。
【００１４】
【発明の効果】
本発明は上述の如く、請求項１記載の発明にあっては、雪から保護すべき花木の周りに複数個の支柱体を多角錐状に立設すると共に支柱体の各上端部を集束体に放射状に形成された複数個の保持部に保持させて支柱体を集束保持し、この多角錐状に立設された支柱体により雪から花木を保護する雪囲い作業を行うことができ、このため、縄やロープの縛着作業を必要とせずに、短時間で容易に冬囲いができ、特に、複数個の支柱体の上端部を集束保持可能な保持部を上記集束体に放射状に複数個設けてなるから、花木の大きさや囲い状況等に応じて支柱体の数を容易に可変することができ、それだけ、一層容易に冬囲い作業を行うことができると共にコンパクトに収納保管することができ、使用の利便性を高めることができる。
【００１５】
又、請求項２記載の発明にあっては、上記支柱体に上記保持部に保持可能な係合部をもつ継合体を着脱自在に嵌着してなるから、支柱体と集束体との継合構造が容易となって製作コストを低減することができると共に支柱体の材質の融通性を高めることができ、又、請求項３記載の発明にあっては、上記支柱体は竹材であるから入手が容易であって一層製作コストを低減することができ、又、請求項４記載の発明にあっては、上記継合体の上端部に係合部としての半円弧状の当接部を形成し、上記集束体の保持部に該当接部に当接可能な複数個の弧状凹部を形成してなるから、支柱体と集束体との継合構造を簡素化することができると共に当接部と弧状凹部との弧状当接により支持体の立設角度を容易に調節することができる。
【００１６】
以上所期の目的を充分達成することができる。
【図面の簡単な説明】
【図１】本発明の実施の形態例の全体斜視図である。
【図２】本発明の実施の形態例の底面図である。
【図３】本発明の実施の形態例の部分断面図である。
【図４】本発明の実施の形態例の部分斜視図である。
【図５】本発明の実施の形態例の部分断面図である。
【図６】本発明の実施の形態例の使用状態の正面図である。
【図７】本発明の実施の形態例の全体斜視図である。
【符号の説明】
Ｗ  花木
１  支柱体
２  集束体
３  保持部
３ａ  弧状凹部
４  継合体
４ｂ  当接部
【図１】
2004242630.tif 000003
【図２】
2004242630.tif 000004
【図３】
2004242630.tif 000005
【図４】
2004242630.tif 000006
【図５】
2004242630.tif 000007
【図６】
2004242630.tif 000008
【図７】
2004242630.tif 000009